(57)【要約】【課題】遊技機枠の前面における前扉が最大に開放された状態を保持し得る構造の容易化を図る。【解決手段】戻り防止ストッパー４６が防犯構造体４５における開方向Ｘ１の終端部に位置し防犯構造体４５の上壁５５から下方に突出し防犯構造体４５に設けられ、前扉５が開方向Ｘ１に開けられて戻り防止ストッパー４６が枠ストッパー４０に衝突して接触したら人が戻り防止ストッパー４６と枠ストッパー４０との接触に伴う抵抗よりも大きな力で前扉５を開方向Ｘ１に動かすと、枠ヒンジ１０と扉ヒンジ１２とが嵌合したままで、前扉５が上方に移動し、戻り防止ストッパー４６が枠ストッパー４０を開方向Ｘ１に越えてから、前扉５が最大開放角度θ１に開けられたまでの範囲において、前扉５から人による開けるための操作力が除去されて、前扉５が閉方向Ｘ２に戻っても、戻り防止ストッパー４６が枠ストッパー４０に衝突し、前扉５の戻りが防止される。【選択図】図１
2006149969.tif 000002
【特許請求の範囲】
【請求項１】
遊技機枠の前側で遊技機枠の前側にヒンジを中心として前側へ横方向に片開き開閉可能に取り付けた前扉が遊技機枠の前側に閉じられた場合、前扉の前側から裏側における遊技機枠の内部に格納された部品を視認し得る透過性の有る前面パネルが前扉に設けられ、前扉の裏面には扉ストッパーと扉ストッパーを囲む防犯構造体とが設けられ、遊技機枠には前扉を遊技機枠の前側へ横方向に最大開放角度で開けた場合に扉ストッパーに衝突する枠ストッパーが設けられ、防犯構造体には前扉を可動枠の前側に開閉不能に閉じた場合と最大開放角度に開けられるまでの範囲において枠ストッパーと衝突する戻り防止ストッパーが設けられ、枠ストッパーと戻り防止ストッパーとが互いに衝突して接触した場合において前扉が戻り防止ストッパーと枠ストッパーとの接触に伴う抵抗よりも大きな力で開方向または閉方向に動かされるのに伴い、前扉が上方に移動して戻り防止ストッパーが枠ストッパーを開方向または閉方向に越えるように前扉の遊技機枠への開閉の中心を構成するヒンジが嵌合したままで上下方向に移動可能に構成されたことを特徴とする遊技機枠の前扉戻り防止装置。
【請求項２】
前扉が最大開放角度から閉方向に移動し、枠ストッパーと戻り防止ストッパーとが互いに衝突した場合、前扉の開放角度が９０度以上で最大開放角度未満となる位置に、戻り防止ストッパーが設けられたことを特徴とする請求項１記載の遊技機枠の前扉戻り防止装置。
【請求項３】
枠ストッパーと扉ストッパーとが互いに衝突し、前扉が最大開放角度に静止した場合、枠ストッパーと戻り防止ストッパーとが互いに離れて、枠ストッパーと戻り防止ストッパーとの間には前扉を閉方向に移動可能な隙間が形成されたことを特徴とする請求項１記載の遊技機枠の前扉戻り防止装置。
【請求項４】
戻り防止ストッパーが防犯構造体と一体に形成されたことを特徴とする請求項１記載の遊技機枠の前扉戻り防止装置。
【請求項５】
戻り防止ストッパーが防犯構造体に同一材料から一体に形成されたことを特徴とする請求項１記載の遊技機枠の前扉戻り防止装置。
【発明の詳細な説明】
【技術分野】
【０００１】
本発明は、遊技機枠の前面における前扉が最大に開放された状態を保持し得る構造が容易な前扉戻り防止装置に関する。
【背景技術】
【０００２】
図８は、従来のパチンコ機と呼ばれる遊技機を示す。図８において、遊技機枠１を矢印Ａで示す前側から見た場合、遊技機枠１では、固定枠２の前側に可動枠３が左側のヒンジ４で横方向に片開き可能に取り付けられ、可動枠３の前側に前扉５および球皿構造体６が左側のヒンジ７；８で横方向に片開き可能に取り付けられた、構造である。そして、前扉５が可動枠３から前側に開けられた状態において、遊技盤７１の前面７２が前側に向けられ、遊技盤７１の左側部が遊技機枠１の前側から可動枠３の盤収納室１３に挿入されて盤収納室１３の盤押圧体２３と盤受止体２４との間に挟まれ、遊技盤７１の下面が可動枠３の盤棚２７の上に載せられ、遊技盤７１の右側部が人によって前側から可動枠３の方向に押されると、可動枠３における盤ロック構造体２５のロック操作体２６が遊技盤７１におけるロック取付部７３のロック挿入孔７４に後側から挿入されて前側に突出する。その状態において、作業者がロック操作体２６を例えば左方向に９０度回転操作すると、ロック操作体２６がロック挿入孔７４の周りにおけるロック取付部７３の前面に係合し、遊技盤７１が盤収納室１３に取り付けられる。遊技盤７１が取り付けられた後、前扉５が閉じられて可動枠３のロック機構１６で開閉不能に支持されると、遊技盤７１が遊技機枠１の内部に格納され、遊技盤７１の前側が前扉５で覆われ、遊技盤７１の内ガイドレール７５と外ガイドレール７６とで囲まれた内側の遊技領域７７が遊技機枠１の前側から前扉５の窓３２を塞ぐ透過性の有る前面パネル３３を通して視認し得る。また、前扉５には、遊技の演出を行うための表示灯やスピーカなどの電気部品が組み込まれている。この前扉５の電気部品は、可動枠３の裏面や遊技盤７１の裏面に設けられた制御装置で制御されるので、制御装置と前扉５の電気部品とを接続する被覆電線３５が、前扉５と可動枠３とにわたって配線されている。また、遊技店にあっては、複数の遊技機が遊技店における島と呼ばれる１つの遊技機設置構造体に併設される。この場合、遊技機枠１の前面上部が前面下部より後側に位置するように、遊技機枠１の前面が垂直面から１度乃至３度の範囲における数度の傾斜角度を呈するように、遊技機が遊技機設置構造体に設置される。複数の遊技機が遊技機設置構造体に併設され、或る１つの遊技機の前扉５が開かれた場合、当該１つの遊技機と左側の遊技機との間に設置された左側の球貸機または左側の遊技機への衝突を防止する観点から、遊技機枠１では、可動枠３に枠ストッパー４０を設け、前扉５に扉ストッパー４４を設け、前扉５が可動枠３の前側に最大に開放されたとき、枠ストッパー４０と扉ストッパー４４とが互いに衝突し、それ以上、前扉５が開かないようになっている。前扉５を可動枠３の前側に開き得る最大開放角度は例えば１３０度に設定されている。また、不正操作部材が遊技機の前側から閉じた前扉５と可動枠３との隙間を経由して内部に挿入されることがないように、防犯構造体４５が前扉５の裏面に可動枠ストッパ−４４を囲むように設けられている。しかしながら、遊技機設置構造体に遊技機枠１が設置された状態において、作業者が遊技機設置構造体に設置された遊技機枠１の内部に対する作業を行うために前扉５を開く場合、作業者が前扉５を開く作業を急ぎ、前扉５が枠ストッパー４０と扉ストッパー４４とを互いに衝突させて最大開放角度で確実に静止する以前に、作業者が開放途中の前扉５から手を離してしまうことがある。そして、作業者が開放途中の前扉５から手を離してしまうと、前記遊技機枠１の遊技機設置構造体への設置した傾斜角度が原因で、前扉５が自重で自然に閉じてしまうという欠点があった。このような前扉５が自然に閉じるという、前扉５の戻りを防止するために、特許文献１；２で前扉５の開放された状態を保持する構造が開示されている。しかしながら、特許文献１；２で開示されたいずれも、前扉５の開放状態を保持するための特別の構造を用いているため、構造が複雑でにわかに採用しがたい。
【特許文献１】特開２００４−１８７８４２号公報
【特許文献２】特開２００３−１５９４４４号公報
【発明の開示】
【発明が解決しようとする課題】
【０００３】
発明が解決しようとする問題点は、前扉の開放状態を保持するための構造が複雑であるという点である。
【課題を解決するための手段】
【０００４】
本発明に係る遊技機枠の前扉戻り防止装置は、遊技機枠の前側で遊技機枠の前側にヒンジを中心として前側へ横方向に片開き開閉可能に取り付けた前扉が遊技機枠の前側に閉じられた場合、前扉の前側から裏側における遊技機枠の内部に格納された部品を視認し得る透過性の有る前面パネルが前扉に設けられ、前扉の裏面には扉ストッパーと扉ストッパーを囲む防犯構造体とが設けられ、遊技機枠には前扉を遊技機枠の前側へ横方向に最大開放角度で開けた場合に扉ストッパーに衝突する枠ストッパーが設けられ、防犯構造体には前扉を可動枠の前側に開閉不能に閉じた場合と最大開放角度に開けられるまでの範囲において枠ストッパーと衝突する前扉が設けられ、枠ストッパーと前扉とが互いに衝突して接触した場合において前扉が前扉と枠ストッパーとの接触に伴う抵抗よりも大きな力で開方向または閉方向に動かされるのに伴い、前扉が上方に移動して前扉が枠ストッパーを開方向または閉方向に越えるように前扉の遊技機枠への開閉の中心を構成するヒンジが嵌合したままで上下方向に移動可能に構成されたことを最も主要な特徴とする。本発明に係る遊技機枠の前扉戻り防止装置において、前扉が最大開放角度から閉方向に移動し、枠ストッパーと前扉とが互いに衝突した場合、前扉の開放角度が９０度以上で最大開放角度未満となる位置に、前扉が設けられたり、または、枠ストッパーと扉ストッパーとが互いに衝突し、前扉が最大開放角度に静止した場合、枠ストッパーと前扉とが互いに離れて、枠ストッパーと前扉との間には前扉を閉方向に移動可能な隙間が形成されたり、または、前扉が防犯構造体と一体に形成されたり、または、前扉が防犯構造体に同一材料から一体に形成されてもよい。
【発明の効果】
【０００５】
本発明に係る遊技機枠の前扉戻り防止装置は、戻り防止ストッパーが防犯構造体に突起として設けられ、戻り防止ストッパーを枠ストッパーに衝突させるように設けられているので、遊技機枠の前扉が最大に開放された状態を保持し得る前扉戻り防止装置としての構造が容易であるという利点がある。前扉が最大開放角度から閉方向に移動し、枠ストッパーと戻り防止ストッパーとが互いに衝突した場合、前扉の開放角度が９０度以上で最大開放角度未満となる位置に、戻り防止ストッパーが設けられれば、遊技機枠の前面上部が前面下部より後側に位置するように、遊技機枠の前面が垂直面から数度の傾斜角度を呈するように、遊技機枠が遊技機設置構造体に設置されていても、前扉の自重が前扉を閉方向に閉じるように作用することが軽減され、前扉の戻りを適切に防止することができるという利点がある。枠ストッパーと扉ストッパーとが互いに衝突し、前扉が最大開放角度に静止した場合、枠ストッパーと戻り防止ストッパーとが互いに離れて、枠ストッパーと戻り防止ストッパーとの間には前扉を閉方向に移動可能な隙間が形成されれば、枠ストッパーと戻り防止ストッパーとが衝突し、前扉の戻りが防止された状態において、人が前扉を閉じる場合、前扉を開方向に戻した後に前扉を閉じることによって、戻り防止ストッパーが助走を付けた状態で枠ストッパーを閉方向に円滑に越えることができるという利点がある。戻り防止ストッパーが防犯構造体と一体に形成されれば、防犯構造体を前扉に固定することによって、戻り防止ストッパーも前扉に固定されるという利点がある。戻り防止ストッパーが防犯構造体に同一材料から一体に形成されれば、戻り防止ストッパーが防犯構造体に強固に結合されるという利点がある。
【発明を実施するための最良の形態】
【０００６】
図１乃至図７は、発明を実施するための最良の形態である。図１は、遊技機枠１の前扉戻り防止装置を分解して示す。図２は、前扉５を可動枠３から取り外した遊技機枠１を示す。図３は、可動枠３と前扉５との寸法関係を示す。図４は、前扉５を可動枠３に取り付ける形態を示す。図５は、前扉５が閉じられて可動枠３に開閉不能に支持された場合であって、ａ図は平面的な形態を示し、ｂ図は正面的な形態を示す。図６は、前扉５が可動枠３の前側に最大開放角度に開いた平面的な形態を示す。図７は、前扉５が最大開放角度から可動枠３の側に閉じる方向に戻るのを防止する場合であって、ａ図は平面的な形態を示し、ｂ図は正面的な形態を示す。この明細書において、「前」、「後」、「裏」、「左」、「右」、「上」、「下」の方向は、図２の状態に遊技機枠１を置いて矢印Ａで示す前側から見た場合に特定される方向である。「後」と「裏」とは同じ方向である。
【０００７】
図２を参照し、遊技機枠１の前側の構造について説明する。遊技機枠１は、固定枠２の前側に可動枠３を左側のヒンジ４で横方向に片開きするように開閉可能に取り付け、可動枠３の前側に前扉５および球皿構造体６を左側のヒンジ７；８で横方向に片開きするように開閉可能に取り付ける、構造である。ヒンジ７は、上下一対の枠ヒンジ９；１０と上下一対の扉ヒンジ１１；１２とによって構成される。固定枠２は、パチンコ店の図外の遊技機設置構造体に取り付けるための外枠とも呼ばれ、前後方向に貫通した縦長な長方形の空間を囲む額縁形状である。可動枠３は、前枠とも呼ばれ、遊技盤７１（図８参照）を装着する前側に開口した盤収納室１３を備える。可動枠３の右側部には、施錠装置１４と複数のロック機構１５；１６；１７およびロック解除操作体１８が設けられる。
【０００８】
遊技機枠１では、上下一対の枠ヒンジ９；１０と上下一対の扉ヒンジ１１；１２とが互いに嵌め合わされ、可動枠３や前扉５および球皿構造体６が閉じられてロック機構１５；１６；１７で開閉不能に支持された場合、遊技店の店員が図外のキープレート（鍵）を遊技機枠１の前側から施錠装置１４の鍵穴１９に挿入し、当該キープレートを例えば右側に９０度回転操作すると、固定枠２と可動枠３とのロック機構１５による支持形態が解除される。この支持形態の解除後に、店員が可動枠３を前側に引くと、可動枠３はヒンジ７を中心として前側に片開きされる。また、店員が上記施錠装置１４の鍵穴１９に挿入されたキープレートを例えば左側に９０度回転操作すると、可動枠３と前扉５とのロック機構１６による支持形態が解除される。この支持形態の解除後に、店員が前扉５を前側に引くと、前扉５は、パネル枠とも呼ばれ、ヒンジ７を中心として前側に片開きされる。このように、前扉５が前側に開かれた状態において、店員が可動枠３の前面に設けられたロック解除操作体１８を操作すると、可動枠３と球皿構造体６とのロック機構１７による支持形態が解除される。この支持形態の解除後に、店員が球皿構造体６を前側に引くと、球皿構造体６はヒンジ８を中心として前側に片開きされる。
【０００９】
盤収納室１３の背壁２０には、中央開口部２１が前後方向への貫通孔として設けられる。中央開口部２１は、遊技盤７１が盤収納室１３に装着された場合、遊技盤７１の裏面から裏側に突出した裏側部品を逃げる孔である。背壁２０の左側部には、配線孔２２が、上部に位置し、前後方向への貫通孔として設けられる。背壁２０の左側部には、上下一対の盤押圧体２３および上下一対の盤受止体２４が、配線孔２２よりも下部に位置して設けられる。盤押圧体２３は、遊技盤７１の裏面を前側に押すばねにより構成される。盤受止体２４は遊技盤７１の前面７２を受け止める突起である。背壁２０の右側部には、盤ロック構造体２５が設けられる。盤ロック構造体２５は、背壁２０から前側に突出する円筒状の台座の中心にロック操作体２６を回転可能に備える。ロック操作体２６は、台座から前側に突出した操作軸の端部に固定された横長な形態である。盤収納室１３の下縁部は、遊技盤７１を搭載する左右方向に平坦な面としての盤棚２７を形成する。盤棚２７から下方に延設された可動枠３における前壁の前面には、球発射レール２８、ファール球取入口２９および図８の球発射機構６３が設けられる。可動枠３の裏面には、球払出装置３０および球払出装置３０に球を供給するタンク３１が設けられる。前扉５は、前後方向に貫通する窓３２を囲む額縁形状である。前扉５の裏面には、前面パネル３３が窓３２を塞ぐ格好で取り付けられる。前面パネル３３は、光を透過する性質の有るガラスまたは合成樹脂などの材料からなる板状である。
【００１０】
前扉５の裏面には、配線孔３４が形成される。配線孔３４は、可動枠３の内部に遊技の演出を行うために組み込まれた表示灯やスピーカなどの図外の電気部品からの被覆電線３５を、可動枠３の内部から配線孔３４を経由して裏側に引き出す孔であって、前扉５の前面には開口していない。前扉５の裏側に引き出された被覆電線３５は、可動枠３の前側から配線孔２２を経由して裏側に引き出されて可動枠３の裏面や遊技盤７１の裏面に設けられた図外の制御装置に接続される。可動枠３に取り付けられた前扉５が可動枠３の前側に最大開放角度に開かれた状態において、被覆電線３５は、前扉５の内部に組み込まれた電気部品と可動枠３の裏面または遊技盤７１の裏面に設けられた制御装置との接続を確保する範囲で、弛まないように、可動枠３の裏面に図外の配線止具で固定される。その理由は、被覆電線３５が弛んでいると、前扉５が閉じられる過程において、被覆電線３５が可動枠３と前扉５との間に挟まるからである。球皿構造体６の前面には、球皿部３６および球発射操作機構３７が設けられる。球皿部３６は、球払出装置３０から賞球または貸球として払い出された球を受け入れるとともに受け入れた球を球発射機構６３に発射する球として供給する容器である。球発射操作機構３７は、遊技者が球発射機構６３による球の発射力を操作する機構である。
【００１１】
可動枠３の左側部には、上下一対の枠ヒンジ９；１０が設けられる。上側の枠ヒンジ９は、可動枠３を固定枠２に取り付けるために可動枠３における左側部の上縁部に固定されたヒンジブラケット３８における可動枠３の前面から直角に前側に突出した部分に、上下方向への貫通孔として設けられた、ヒンジ孔により構成される。下側の枠ヒンジ１０は、前扉５および球皿構造体６を可動枠３に取り付けるために可動枠３における左側部の上下方向中間部に固定されたヒンジブラケット３９における可動枠３の前面から直角に前側に突出した部分に、上方に垂直に突出して固定された、棒からなるヒンジピンにより構成される。ヒンジブラケット３９には、枠ストッパー４０が、ヒンジブラケット３９における可動枠３の前面から直角に前側に突出した部分から上方に垂直に突出して固定された、棒として設けられる。枠ストッパー４０は、前扉５が最大開放開度に開かれた場合に、扉ストッパー４４と衝突することによって、それ以上、前扉５が開かないように規制する部材である。
【００１２】
前扉５の左側部には、上下一対の扉ヒンジ１１；１２が設けられる。上側の扉ヒンジ１１は、前扉５の上縁部に固定されたヒンジブラケット４１に、昇降可能に設けられた、ヒンジピンにより構成される。上側の扉ヒンジ１１の上端部は、ヒンジブラケット４１に組み込まれたコイルスプリングのような図３に示すばね４２のばね力によって、ヒンジブラケット４１の上面から上方に突出する。下側の扉ヒンジ１２は、前扉５の下縁部に固定されたヒンジブラケット４３における前扉５の下面と平行な下面に、上下方向への貫通孔として設けられた、ヒンジ孔により構成される。ヒンジブラケット４３には扉ストッパー４４が設けられる。扉ストッパー４４は、前扉５が最大開放開度に開かれた場合に、枠ストッパー４０と衝突することによって、それ以上、前扉５が開かないように規制するものである。前扉５の左側部における裏面には、防犯構造体４５が、下側の扉ヒンジ１２を裏側から囲むように設けられる。防犯構造体４５には戻り防止ストッパー４６が設けられる。下側の枠ヒンジ１０、下側の扉ヒンジ１２、枠ストッパー４０、防犯構造体４５、戻り防止ストッパー４６については、図１で詳述する。
【００１３】
図３および図４を参照し、前扉５が可動枠３に取り付けられた場合、上下一対の枠ヒンジ９；１０と上下一対の扉ヒンジ１１；１２との関係と、戻り防止ストッパー４６が前扉５の開閉に伴って枠ストッパー４０を乗り越えるための関係とについて説明する。図３において、下側の枠ヒンジ１０におけるヒンジブラケット３９の側に位置する根元部には、隙間形成座体４７が設けられる。下側の扉ヒンジ１２と下側の枠ヒンジ１０とが互いに嵌め合わされ、前扉５が可動枠３に取り付けられた場合、隙間形成座体４７は、ヒンジブラケット４３における下側の扉ヒンジ１２の周囲の下面４９に上方から接触し、前扉５の下面が図２に示す球皿構造体６の上面と接触しないように、隙間を形成する部材である。隙間形成座体４７によって形成される隙間は、防犯上、できるだけ狭い方がよい。前扉５におけるヒンジブラケット４１の上面４８とヒンジブラケット４３の下面４９とからなる上下方向寸法Ｌ１は、可動枠３におけるヒンジブラケット３８の下面５０とヒンジブラケット３９の上面５１とからなる上下方向寸法Ｌ２よりも小さい（Ｌ１＜Ｌ２）。
【００１４】
上下方向寸法Ｌ２と上下方向寸法Ｌ１との差Ｌ３（Ｌ２−Ｌ１）は、できるだけ少ない方がよいが、次のようなことから設定される。図４に示すように、前扉５が可動枠３に取り付けられる場合、前扉５の上部とヒンジブラケット４１および上側の扉ヒンジ１１が、可動枠３およびヒンジブラケット３８に衝突しないように、前扉５が可動枠３の前側で斜めの姿勢（後傾状）にされた状態において、下側の扉ヒンジ１２が下側の枠ヒンジ１０に上方から挿入され、ヒンジブラケット４３の下面４９がヒンジブラケット３９の上面５１における前側の隅部に載せられる。そして、上側の扉ヒンジ１１の上端部がヒンジブラケット４１の上面４８の方向に近づけられるように、上側の扉ヒンジ１１が作業者によりばね４２を圧縮しつつ引っ込ませられる。その状態のまま、前扉５の上部が可動枠３の矢印Ｘ３で示す方向に移動させられる。その場合、前扉５の上部とヒンジブラケット４１および上側の扉ヒンジ１１が、ヒンジブラケット３８に衝突しないようにすることから、前記図３に示す差Ｌ３は設定される。
【００１５】
図４において、前扉５の上部が可動枠３の矢印Ｘ３で示す方向に移動させられた後、上側の扉ヒンジ１１から引っ込ませる操作を解除すると、ばね４２の復元するばね力によって、上側の扉ヒンジ１１の上端部がヒンジブラケット４１の上面４８から離れるように上方に突出してヒンジブラケット３８の下面５０に接触する。その状態のまま、上側の扉ヒンジ１１の上端部が上側の枠ヒンジ９と出合うように、前扉５の上部が移動させられ、上側の扉ヒンジ１１の上端部が上側の枠ヒンジ９と出合うと、ばね力によって、上側の扉ヒンジ１１の上端部が上側の枠ヒンジ９に下方から挿入される。これによって、ヒンジブラケット４３の下面４９が隙間形成座体４７の上面に接触して載せられ、上下一対の枠ヒンジ９；１０と上下一対の扉ヒンジ１１；１２との嵌め合いによって、前扉５が上下一対の枠ヒンジ９；１０と上下一対の扉ヒンジ１１；１２とを中心として開閉可能となるように可動枠３に取り付けられ、防犯構造体４５が戻り防止ストッパー４６を上方から囲むように覆い隠し、戻り防止ストッパー４６の下面５２がヒンジブラケット３９の上面５１から上方に離れる。戻り防止ストッパー４６の下面５２とヒンジブラケット３９の上面５１との間の隙間は、防犯上、できるだけ狭い方がよい。
【００１６】
図３に戻り、戻り防止ストッパー４６が前扉５の開閉に伴って枠ストッパー４０を乗り越える場合に、前扉５が可動枠３に対して上方に移動する寸法Ｌ４は、差Ｌ３よりも小さい（Ｌ３＞Ｌ４）。ばね４２の上端を支持するばね受止体５３は、扉ヒンジ１１に固定される。ばね４２の下端を支持するばね受止体５４は、ヒンジブラケット４１に固定される。
【００１７】
図１を参照し、遊技機枠１の前扉戻り防止装置の構造について説明する。図１のａ図において、前扉戻り防止装置は、枠ストッパー４０と戻り防止ストッパー４６とにより構成される。防犯構造体４５は、上壁５５と周壁５６とを備える。下側の扉ヒンジ１２と下側の枠ヒンジ１０とが互いに嵌め合わされ、ヒンジブラケット４３の下面４９が隙間形成座体４７の上面に接触して載せられた場合、上壁５５は、可動枠ストッパー４０よりも上方に離れて配置されて可動枠ストッパー４０を覆う。周壁５６は、上壁５５から下方に突出し、下側の扉ヒンジ１２を中心とする円周上の弧壁部５７と、弧壁部５７から接線として延びる直線的な直壁部５８とを備える。矢印Ｘ１は、前扉５が下側の扉ヒンジ１２と下側の枠ヒンジ１０とを中心として開かれる場合における、前扉５の開方向を示す。矢印Ｘ２は、開けられた前扉５が下側の扉ヒンジ１２と下側の枠ヒンジ１０とを中心として閉じられる場合における、前扉５の閉方向を示す。戻り防止ストッパー４６は、防犯構造体４５における開方向Ｘ１の終端部に位置し、防犯構造体４５の上壁５５から下方に突出し、防犯構造体４５に設けられる。戻り防止ストッパー４６における開方向Ｘ１の前側に位置する縁部５９は、開方向Ｘ１に行くにしたがって上側に傾斜する案内面を形成する。戻り防止ストッパー４６の閉方向Ｘ２の前側に位置する縁部６０は、閉方向Ｘ２に行くにしたがって上側に傾斜する案内面を形成する。
【００１８】
図１のｂ図において、弧壁部５７における下側の扉ヒンジ１２の中心Ｐを中心とする内側面の曲率半径Ｒ１は、下側の枠ヒンジ１０の中心Ｐを中心とする枠ストッパー４０における中心Ｐから最も離れる外側面までの寸法Ｒ２よりも大きい（Ｒ１＞Ｒ２）。直壁部５８における曲率半径Ｒ１からの接線の上に位置する内側面は、前扉５の前面パネル３３の裏面６１と平行である。戻り防止ストッパー４６は、防犯構造体４５における開方向Ｘ１の終端部に位置して、防犯構造体４５の上壁５５に設けられる。前扉５が開方向Ｘ１に移動して最大開放角度に開けられ、可動枠ストッパー４０と扉ストッパー４４とが互いに衝突した位置で、前扉５が静止した場合、戻り防止ストッパー４６が可動枠ストッパー４０から離れていて、戻り防止ストッパー４６と可動枠ストッパー４０との間には、前扉５が閉方向Ｘ２の方向に移動可能な隙間が形成される。
【００１９】
図５乃至図７を参照し、最良の形態における作用について説明する。図５は、前扉５が閉じられて可動枠３に開閉不能に支持された場合である。図５において、人が可動枠３と前扉５との開閉不能な支持を解除（前述した図２におけるロック機構１６の解除操作）して前扉５を前側に動かすと、前扉５が枠ヒンジ１０と扉ヒンジ１２とを中心として開方向Ｘ１に開けられる。そして、前扉５が開方向Ｘ１に開けられるのに伴い、防犯構造体４５も前扉５と一緒に移動する。当該前扉５の開方向Ｘ１への開放がさらに進行すると、戻り防止ストッパー４６の縁部５９が枠ストッパー４０の上端部の側面に衝突して接触する。その状態において、人が、上記戻り防止ストッパー４６と枠ストッパー４０との接触に伴う抵抗よりも大きな力で、前扉５を開方向Ｘ１に動かすと、戻り防止ストッパー４６の縁部５９が枠ストッパー４０の上端部の側面に接触しつつ滑り動くのに伴い、前扉５の遊技機枠１への開閉の中心を構成する枠ヒンジ１０と扉ヒンジ１２とが嵌合したままで、ヒンジブラケット４３および前扉５が上方に移動し、前扉５のブラケット４３が隙間形成座体４７から上方に離れ、戻り防止ストッパー４６の上壁５５が枠ストッパー４０の上端面の上に接触して搭載される。引き続き、前扉５の開方向Ｘ１への開放が進行すると、戻り防止ストッパー４６の縁部６０が接触しつつ滑り動くのに伴い、前扉５が下方に移動する。そして、戻り防止ストッパー４６が枠ストッパー４０を開方向Ｘ１に越えると、前扉５のブラケット４３が隙間形成座体４７の上に搭載される。図５のｂ図において、６４は止ねじ、６５は位置決め突起、６６は位置決め孔である。防犯構造体４５が、止ねじ６４で前扉５に取り付けられ、位置決め突起６５と位置決め孔６６との嵌め合いに防犯構造体４５の前扉５への取付位置が合わせられる。位置決め突起６５が防犯構造体４５に設けられた場合は位置決め孔６６が前扉５に設けられ、位置決め突起６５が前扉５に設けられた場合は位置決め孔６６が防犯構造体４５に設けられる。
【００２０】
さらに、前扉５の開方向Ｘ１への開放が進行すると、図６に示すように、扉ストッパー４４が枠ストッパー４０に衝突し、前扉５が可動枠３の前側に最大開放角度θ１に開けられる。そして、可動枠ストッパー４０と扉ストッパー４４とが互いに衝突した位置で、前扉５が静止した場合、戻り防止ストッパー４６が可動枠ストッパー４０から離れていて、戻り防止ストッパー４６と可動枠ストッパー４０との間には、前扉５が閉方向Ｘ２の方向に移動可能な隙間６２が形成される。また、戻り防止ストッパー４６が枠ストッパー４０を開方向Ｘ１に越えてから、前扉５が可動枠３の前側に最大開放角度θ１に開けられたまでの範囲において、前記前扉５を開ける人が手を前扉５から離すことによって、前扉５から人による開けるための操作力が除去され、前扉５が閉方向Ｘ２に戻ると、図７に示すように、戻り防止ストッパー４６が枠ストッパー４０に衝突する。
【００２１】
図７において、前扉５が仮想線で示す最大開放角度θ１の位置から実線で示す位置へと閉方向Ｘ２に移動した場合、戻り防止ストッパー４６の縁部６０が枠ストッパー４０の上端部の側面に衝突して接触する。これによって、人が、上記戻り防止ストッパー４６と枠ストッパー４０との接触に伴う抵抗よりも大きな力で、前扉５を閉方向Ｘ２に動かさなければ、前扉５がそれ以上可動枠３の方向に戻ることがない。戻り防止ストッパー４６の縁部６０が枠ストッパー４０の上端部の側面に衝突した位置で、前扉５が静止した場合、当該静止した前扉５の開放角度θ２は、９０度を含まず、９０度以上で最大開放角度未満の範囲に設定される。図６および図７のａ図において、一点鎖線Ｌ５は可動枠３の前面を示し、一点鎖線Ｌ６は前扉５の裏面を示す。よって、前扉５の最大開放角度θ１や開放角度θ２は、前扉５が枠ヒンジ１０と扉ヒンジ１２とを中心として可動枠３の前側へ横方向に片開きされた場合における、可動枠３の前面と前扉５の裏面との間の挟角である。戻り防止ストッパー４６が枠ストッパー４０を開方向Ｘ１に越えてから、前扉５が可動枠３の前側に最大開放角度θ１に開けられたまでの範囲において、遊技機枠１の遊技機設置構造体への設置した傾斜角度が原因で、前扉５が自重で自然に閉方向Ｘ２に移動しても、戻り防止ストッパー４６の縁部６０と枠ストッパー４０の上端部の側面とが互いに衝突するので、最大開放角度θ１に開けられた前扉５が可動枠３の方向に自然に閉じて可動枠３に接触することがなく、前扉５の戻りを防止することができる。
【００２２】
最良の形態によれば、戻り防止ストッパー４６が防犯構造体４５に設けられているので、防犯構造体４５に戻り防止ストッパー４６としての突起を設け、戻り防止ストッパー４６を枠ストッパー４０に衝突させるように設ければよいので、遊技機枠１の前扉５が最大に開放された状態を保持し得る前扉戻り防止装置としての構造が容易であるという利点がある。前扉５が最大開放角度θ１から閉方向Ｘ２に移動し、枠ストッパー４０と戻り防止ストッパー４６とが互いに衝突した場合、前扉５の開放角度が、９０度を含まず、９０度以上で最大開放角度θ１未満となる位置に、戻り防止ストッパー４６が設けられている。つまり、戻り防止ストッパー４６の縁部６０が枠ストッパー４０の上端部の側面に衝突した位置で、前扉５が静止した場合、当該静止した前扉５の開放角度θ２は、９０度を含まず、９０度以上で最大開放角度未満の範囲に設定されているので、遊技機枠１の前面上部が前面下部より後側に位置するように、遊技機枠１の前面が垂直面から数度の傾斜角度を呈するように、遊技機枠１が遊技機設置構造体に設置されていても、前扉５の自重が前扉５を閉方向Ｘ２に閉じるように作用することが軽減され、前扉５の戻りを適切に防止することができるという利点がある。枠ストッパー４０と扉ストッパー４４とが互いに衝突し、前扉５が最大開放角度θ１に静止した場合、枠ストッパー４０と戻り防止ストッパー４６とが互いに離れて、枠ストッパー４０と戻り防止ストッパー４６との間には前扉５を閉方向に移動可能な図６に示す隙間６２が形成されているので、図７に示すように、枠ストッパー４０と戻り防止ストッパー４６とが衝突し、前扉５の戻りが防止された状態において、人が前扉５を閉じる場合、前扉５を開方向Ｘ１の方向に戻した後に、前扉５を閉じることによって、戻り防止ストッパー４６が助走を付けた状態で枠ストッパー４０を閉方向Ｘ２に円滑に越えることができるという利点がある。また、隙間６２が存在するので、前扉５が可動枠３に閉じた状態から最大開放角度θ１まで開けられることによって、枠ストッパー４０が扉ストッパー４４と戻り防止ストッパー４６との間の隙間６２に確実に取り込まれるので、前扉５の戻りが適切に防止できるという利点がある。戻り防止ストッパー４６を既存の防犯構造体４５と別に形成し、この別に形成した戻り防止ストッパー４６を既存の防犯構造体４５に取り付けてもよいが、戻り防止ストッパー４６が防犯構造体４５に一体に形成されているので、防犯構造体４５を前扉５に固定することによって、戻り防止ストッパー４６も前扉５に固定されるという利点がある。戻り防止ストッパー４６が防犯構造体４５に同一材料から一体に形成されているので、戻り防止ストッパー４６が防犯構造体４５に強固に結合されるという利点がある。
【産業上の利用可能性】
【００２３】
遊技機枠１はパチンコ機の遊技機枠に限定されるものではなく、スロットマシンの遊技機枠であってもよい。スロットマシンの遊技機枠の場合、前扉５は、筐体の前側の開口を開いたり閉じたりするように、筐体の前側にヒンジで横方向に片開きするように開閉可能に取り付けられた前面枠または前枠に相当する。
【図面の簡単な説明】
【００２４】
【図１】遊技機枠の前扉戻り防止装置であって、ａ図は分解斜視図、ｂ図は平面的な模式図（最良の形態）。
【図２】前扉を可動枠から取り外した遊技機枠の分解斜視図（最良の形態）。
【図３】可動枠と前扉との寸法関係を示す側面的な模式図（最良の形態）。
【図４】前扉を可動枠に取り付ける形態の側面的な模式図（最良の形態）。
【図５】前扉が閉じられて可動枠に開閉不能に支持された場合であって、ａ図は平面的な模式図、ｂ図は正面的な模式図（最良の形態）。
【図６】前扉が可動枠の前側に最大開放角度に開いた平面的な模式図（最良の形態）。
【図７】前扉が最大開放角度から可動枠の側に閉じる方向に戻るのを防止する場合であって、ａ図は平面的な模式図、ｂ図は正面的な模式図（最良の形態）。
【図８】従来のパチンコ機の遊技機枠と遊技盤とを示す分解斜視図（最良の形態）。
【符号の説明】
【００２５】
１    遊技機枠
５    前扉
７    ヒンジ
３３  前面パネル
４０  枠ストッパー
４４  扉ストッパー
４５  防犯構造体
４６  戻り防止ストッパー
６２  隙間
θ１  最大開放角度
θ２  開放角度
【図１】
2006149969.tif 000003
【図２】
2006149969.tif 000004
【図３】
2006149969.tif 000005
【図４】
2006149969.tif 000006
【図５】
2006149969.tif 000007
【図６】
2006149969.tif 000008
【図７】
2006149969.tif 000009
【図８】
2006149969.tif 000010